(57)【要約】【課題】停電などの無給電状態でもアクチュエータを投入位置および遮断位置に保持し、動作の命令があれば保持状態を解除する。【解決手段】絶縁性ガスが封入された遮断部ケース（１）内に対向して設けられた一対の接触子を有する遮断部と、永久磁石（１４２）または磁性体の磁極を交互に反転させつつ前記接触子の動作軸と同軸上に配置し一体に構成した可動子（１４１）と、前記可動子（１４１）に対向して配置され、巻線を有する複数の磁極を備えた固定子（１３１）と、巻線（１３６）に電流を供給する電源装置（１６１）と、を有する操作部を操作部ケース内に有するガス遮断器であって、固定子（１３１）の遮断部に近い側及び遠い側の両方にラッチ部材（２２０、３２０）を設け、ラッチ部材が係合する係合部を可動子（１４１）に設けたことを特徴とする。【選択図】図２
2016167395.tif 000002
【特許請求の範囲】
【請求項１】
絶縁性ガスが封入された遮断部ケース内に対向して設けられた一対の接触子を有する遮断部と、永久磁石または磁性体の磁極を交互に反転させつつ前記接触子の動作軸と同軸上または平行に配置し一体に構成した可動子と、前記可動子に対向して配置され巻線を有する複数の磁極を備えた固定子と、前記巻線に電流を供給する電源装置を備える操作部とを有する、ガス遮断器であって、
前記固定子の前記遮断部に近い側及び遠い側の両方にラッチ部材を設け、前記ラッチ部材が係合する係合部を前記可動子に設けたことを特徴とする、ガス遮断器。
【請求項２】
請求項１において、
前記ラッチ部材それぞれは前記固定子に固定されていることを特徴とする、ガス遮断器。
【請求項３】
請求項１において、
前記ラッチ部材は、回動可能に軸支され可動子と係合する可動子保持レバーと、
前記可動子保持レバーと同軸で軸支され前記可動子保持レバーとともに回動する係合板と、
前記係合板に係合するトリガレバーとを有し、
前記係合板と前記トリガレバーとが係合することで、前記係合板を介して前記可動子保持レバーが拘束され、前記可動子が前記可動子保持レバーにより係止されることを特徴とする、ガス遮断器。
【請求項４】
請求項３において、
前記トリガレバーを変位させる引き外しアクチュエータを備え、
前記トリガレバーの変位によって前記トリガレバーと前記係合板の係合が解除され、前記可動子保持レバーが変位することで、前記可動子と前記可動子保持レバーの係合が解除されることを特徴とする、ガス遮断器。
【請求項５】
請求項４において、
前記トリガレバーを変位させる係合解除ボタンを備え、
前記係合解除ボタンを前記トリガレバーと連結し前記操作部ケースの外部に延伸することで、前記操作部ケースの外部から手動で前記トリガレバーを変位させ、前記トリガレバーと前記係合板の間の係合を解除することで、前記可動子と前記可動子保持レバーの係合が解除されることを特徴とする、ガス遮断器。
【請求項６】
請求項４において、
前記操作部ケースに蓋付開口部を備え、
前記蓋付開口部から前記トリガレバーを手動で変位させ、前記トリガレバーと前記係合板の間の係合を解除し、前記可動子と前記可動子保持レバーの係合を解除することを特徴とする、ガス遮断器。
【請求項７】
請求項４において、
前記電源装置に蓄電部を有することを特徴とする、ガス遮断器。
【発明の詳細な説明】
【技術分野】
【０００１】
本発明はガス遮断器に関するもので、特に電動で動作させて高電圧を遮断する電動駆動方式ガス遮断器に関するものである。
【背景技術】
【０００２】
遮断器は速やかに事故電流を遮断することにより、電力系統の事故の波及を防止する役割を持つため、信頼性の確保が重要である。ガス遮断器はガス吹き付け手段により二重圧力方式と単一気圧方式（パッファ形）があるが、現在では小型化や保守を簡易化できるパッファ形ガス遮断器が主流になっており、例えば特許文献１に記載されたものがある。
【０００３】
一般にパッファ形ガス遮断器は、接地された金属製の容器内に固定接触子および可動接触子やその他の部品にて構成する遮断部を配置すると共に、絶縁性能や消弧性能の良好な六フッ化硫黄（ＳＦ６）等の絶縁ガスが充填されている。パッファ形ガス遮断器において、主要性能の一つである進み小電流遮断性能は可動子の移動速度への依存が大きく、従来から遮断性能を向上させるために、可動接触子の始動からフルストロークするまでの時間（これを「開極時間」という。）を短縮する工夫がなされている。
【０００４】
一方、ガス遮断器を操作する操作器として、操作ばねに蓄勢したばね力を解放することにより操作力を得るようにしたばね操作器と、空気圧や油圧を利用して操作力を得るようにした空気圧操作器や油圧操作器が従来から知られている。
【０００５】
ばね操作器は低操作力、保守性、経済性に優れており、また空気圧操作器は取扱いが容易であると共に高い操作力が得られ、更に油圧操作器は低騒音で高い操作力が得られるという特徴がある。
【０００６】
しかしながら、ばね操作器による操作ではばねの弾性力が必ずしも一定でないこと、ばねの位置決め精度は必ずしも高くないこと、複雑で多くの部品から成り立つこと等から動作に対する信頼性について改善の余地がある。また、油圧や空気圧を利用する操作方式では、周囲の温度変化によっては作動流体が漏れるおそれがあり、更には部品の一部に不具合や故障があると全体が動作しなくなる可能性もあり、取り扱いが容易ではないと言う側面もある。
【０００７】
ここで、上記の様な点を改善する方式の一例として、電気の力により操作力を生み出す技術として例えば特許文献２に記載されたものがある。特許文献２には、直線移動可能なコイルに電流を供給するアクチュエータ構造で、円筒形状の永久磁石から成る固定子から発生する磁界の力との反発力を利用して、コイルから成る可動子を固定子と相対運動させ、可動子に繋がる絶縁ロッド、および可動接触子を直線運動させる遮断器構成が記載されている。
【０００８】
特許文献２に記載されたアクチュエータでは、投入状態の位置を永久磁石と強磁性体の間に働く磁気吸引力を利用して保持する機構を設けている。アクチュエータの可動子の端部に強磁性体から成るターゲットを設け、可動子の投入状態の位置に永久磁石を配置している。可動子が投入位置に近づくと可動子が永久磁石に近づく方向へ磁気吸引力が生じ、可動子が永久磁石に当接する。本機構によって、停電時などの無給電状態でも、可動子を投入位置で保持できる。
【先行技術文献】
【特許文献】
【０００９】
【特許文献１】特開２０１０−１６０９２１号公報
【特許文献２】特開２０１３−２２９２４７号公報
【発明の概要】
【発明が解決しようとする課題】
【００１０】
特許文献２に記載されたアクチュエータは遮断位置に保持する機構を有していない。事故電流を検知し遮断動作後に無給電状態に陥った場合、アクチュエータの永久磁石とコイルとの間に生じる磁気力によって可動子は直線移動し得るため遮断位置を保持できない。停電などの無給電状態でも確実に事故電流を遮断するためには、アクチュエータの可動子を遮断位置に保持する機構が必要である。
【課題を解決するための手段】
【００１１】
絶縁性ガスが封入された遮断部ケース内に対向して設けられた一対の接触子を有する遮断部と、永久磁石または磁性体の磁極を交互に反転させつつ前記接触子の動作軸と同軸上または平行に配置し一体に構成した可動子と、前記可動子に対向して配置され巻線を有する複数の磁極を備えた固定子と、前記巻線に電流を供給する電源装置と、を備える操作部とを有する、ガス遮断器であって、前記固定子の遮断部に近い側及び遠い側の両方にラッチ部材を設け、前記ラッチ部材が係合する係合部を前記可動子に設けたことを特徴とする。
【発明の効果】
【００１２】
本発明によれば、停電などの無給電状態でもアクチュエータを投入位置および遮断位置に保持し、動作の命令があれば保持状態を解除できる。
【図面の簡単な説明】
【００１３】
【図１】実施例１に係るガス遮断器（閉極状態、投入位置）の断面図である。
【図２】実施例１に係る操作部の投入位置での断面図である。
【図３】実施例１に係るガス遮断器（開極状態、遮断位置）の断面図である。
【図４】実施例１に係るアクチュエータの概略斜視図である。
【図５】図４の正面図である。
【図６】図５から巻線を除いた状態を示す図である。
【図７】実施例１に係るガス遮断器に適用するアクチュエータの断面構成の一例である。
【図８】本発明に係るガス遮断器の遮断特性を説明する図である。
【図９】実施例１に係る操作部の遮断動作中の断面図である。
【図１０】実施例１に係る操作部の、遮断位置に到達し停止した状態での断面図である。
【図１１】実施例１に係る操作部の、遮断位置に到達し遮断位置ラッチ部材が動作している状態での断面図である。
【図１２】実施例１に係る操作部の、遮断位置に到達し停止し遮断位置ラッチ部材が動作を終え、可動子が遮断位置で固定支持された状態での断面図である。
【図１３】投入位置ラッチ部材の一例を示す断面図である。
【図１４】投入位置ラッチ部材の他の例を示す断面図である。
【図１５】投入位置ラッチ部材の他の例を示す断面図である。
【発明を実施するための形態】
【００１４】
以下、本発明を実施する上で好適な実施例について図面を用いて説明する。尚、下記はあくまでも実施の例であって、発明の内容を下記具体的態様に限定することを意図する趣旨ではない。発明自体は、特許請求の範囲の記載を満たす範囲内で種々の態様に変形することが可能である。
【実施例１】
【００１５】
図１は本発明に係る操作部構造を有するガス遮断器の閉極状態を示し、図２は図１の操作部の詳細図、図３は本発明に係る操作部構造を有するガス遮断器の開極状態を示す。これらの図に示すように、本実施例のガス遮断器は、事故電流を遮断するための遮断部と、該遮断部の側部には遮断部を操作するための操作部で構成される。
【００１６】
遮断部は、金属容器の遮断部ケース１内に設けられている。遮断部ケース１はＳＦ６ガスを充填させて密閉され、遮断部ケース１の端部に設けられた絶縁支持スペーサー２に固定された固定側電極３と、可動側電極４と、可動側電極４に設けられる可動電極６、操作部側に接続されると共に可動側電極４に接続される絶縁支持筒７と、可動側電極４に接続され主回路の一部を構成する主回路導体となる高電圧導体８とを有している。
【００１７】
この構成において、操作部からの駆動力を通じて可動電極６をＺ方向（図１、２中横方向）に移動させ、固定側電極３と可動側電極４を開閉することにより、電流の投入及び遮断が可能である。高電圧導体８の周囲には、高電圧導体８に流れる電流を検出するための電流検出器として働く変流器５１が設けられている。
【００１８】
絶縁支持筒７内には操作部に接続される絶縁ロッド８１が配置されている。絶縁ロッド８１は、密閉された遮断部ケース１を気密に保ったまま駆動できる様に設けられた直線シール部８２を通じて、遮断部に隣接して設けられた操作部１００内に延伸されている。
【００１９】
操作部１００は、操作部ケース１１０内にアクチュエータ１３０を有し、遮断部ケース１に固定されている。アクチュエータ１３０は、直線シール部８２を通じて絶縁ロッド８１に連結され直線可動する可動子１４１と、該可動子１４１に対向して配置される固定子ユニット１３５で構成される。
【００２０】
アクチュエータ１３０は、操作部ケース１１０に設けられる密封端子１６３を通じて電源ユニット１６１と電気的に接続されている。電源ユニット１６１は、制御ユニット１６２と接続され、制御ユニット１６２からの指令を受けることができる様に構成されている。制御ユニット１６２には、変流器５１で検出した電流値が入力される。電源ユニット１６１及び制御ユニット１６２は、変流器５１で検出した電流値に応じて、アクチュエータ１３０の後述する巻線１３６に供給する電流量や位相を変化させる制御機構として働く。
【００２１】
また、電源ユニット１６１には蓄電デバイスが搭載されている。蓄電デバイスに常時充電しておくことで、停電により外部から給電されない場合でも電流遮断が可能となる。蓄電デバイスは例えば充電池やコンデンサ（キャパシタ）などが適用できる。
【００２２】
アクチュエータ１３０には、固定子ユニット１３５と可動子１４１の間の相対位置を検出する位置センサ１５１が設けられている。位置センサ１５１は、リニアスケール１５２と光学式ピックアップ１５３とで構成される。光学式ピックアップ１５３は固定子ユニット１３５に取り付けられており、受発光の指光方向を可動子１４１に取り付けられたリニアスケール１５２に向けている。
【００２３】
アクチュエータ１３０を構成する可動子および固定子について、図４ないし図７を用いて説明する。図４はアクチュエータ１３０の概略斜視図、図５は固定子１３１の正面図、図６は図５から巻線１３６を除いた状態を示す図、図７はアクチュエータ１３０の断面構成の一例を示す。
【００２４】
固定子１３１は、第一の磁極１３２と、第一の磁極１３２に対向して配置される第二の磁極１３３と、第一の磁極と第二の磁極をつなぐ磁性体１３４と、第一の磁極及び第二の磁極の内周に設けられる巻線１３６で構成される。固定子１３１の内部には、第一の磁極１３２および第二の磁極１３３の間に空隙が設けられ、この空隙に永久磁石１４２が配置される。永久磁石１４２の着磁方向はＹ方向（図４ないし図６中の上下方向）に着磁され、隣り合う磁石毎に交互に着磁されている。
【００２５】
一般的に永久磁石１４２と第一の磁極１３２及び第二の磁極１３３の間には吸引力（Ｙ方向の力）が発生する。しかし、本構成においては、永久磁石１４２と第一の磁極１３２に発生する吸引力と、永久磁石１４２と第二の磁極１３３に発生する吸引力とが互いに逆方向になるため力が相殺され吸引力が小さくなる。そのため、可動子１４１を保持するための機構が簡素化でき、可動子１４１を含む可動体の質量を低減できる。可動体の質量を低減できるため、高加速度駆動や高応答駆動を実現することが可能になる。
【００２６】
駆動に際しては、巻線１３６に電流を流すことにより磁界が発生し、第一および第二の磁極を構成する固定子１３１と、永久磁石１４２を構成する可動子１４１にはＺ軸方向に電磁気力が発生する。この電磁気力を推力とした可動子１４１の直線運動によって遮断動作を行う。可動子１４１の位置は位置センサ１５１により参照される。
【００２７】
図７は、複数の固定子１３１から成る固定子ユニット１３５で構成されるアクチュエータ１３０の例を示している。Ｚ方向（図７中、横方向）に複数配置された固定子１３１の間にはスペーサー１３７が配置されて、固定子ユニット１３５が構成されている。固定子ユニット１３５の両端にガイドローラユニット１３８を配置している。ガイドローラユニット１３８はそのローラにより可動子１４１を上下方向に挟んで支持するように構成される。
【００２８】
可動子１４１は、第一の磁極１３２および第二の磁極１３３の間に設けられた空隙に配置された永久磁石１４２と、永久磁石１４２を挟みこんで支持する磁石固定部材１４３で構成される。磁石固定部材１４３の両端部には、回転自在のローラ１４４が設けられている。永久磁石１４２と、固定子１３１の間隔は、固定子ユニット両端に配置したガイドローラユニット１３８によって保たれる。
【００２９】
操作部ケース１１０の内部には、可動子１４１を投入位置および遮断位置で保持する機構が設けられている。投入位置保持機構と遮断位置保持機構は、それぞれ操作部ケース１１０の内部の端部に配置された当接部材と、固定子ユニット１３５の両端に配置されたラッチ部材から成る。操作部ケース１１０の遮断部ケース１の反対側に設けられた遮断位置当接部材３１０と、固定子ユニット１３５の遮断部ケース１側に設けられた遮断位置ラッチ部材と３２０が、可動子１４１を遮断位置で保持する。また、操作部ケース１１０の遮断部ケース側に設けられた投入位置当接部材２１０が、可動子１４１を投入位置で保持する。
【００３０】
当接部材は、可動子１４１と接触するプレート３１１と緩衝材３１２で構成される。可動子１４１が遮断動作および投入動作が終了する位置で、可動子１４１とプレート３１１とが当接する。可動子１４１とプレート３１１とが当接する際に生じる衝撃を緩衝材の弾性力で緩和することで、可動子に負荷される衝撃力が低減し、信頼性が向上する。なお、緩衝材３１２は衝撃力を緩和できれば何でも良く、例えばばねなどの変形によって弾性力を生ずるものや、ゴムなどのように減衰力を生ずるものでもよい。プレート３１１は永久磁石を埋め込んだ可動子と当接することから非磁性体で構成されることが望ましい。例えば、非磁性のステンレス合金、アルミ合金、樹脂材料などが好ましい
ラッチ部材の構成を図１３に示す投入位置ラッチ部材２２０で述べる。投入位置ラッチ部材２２０は、回動可能に軸支された可動子保持レバー２２１と、可動子保持レバー２２１の先端に設けられた復帰ばね２２２と、可動子保持レバー２２１と同軸で軸支され可動子保持レバーとともに回動する係合板２２３と、係合板２２３に形成された保持位置係合溝２２３ａおよび解除位置係合溝２２３ｂと、引き外しアクチュエータ２２４と、第１と第２の腕を有し、第１の腕が係合板２２３に、第２の腕が引き外しアクチュエータに対向して配置され回動するトリガレバー２２５と、トリガレバー２２５に設けられた復帰ばね２２６で構成される。投入位置ラッチ部材２２０は、固定子ユニット１３５の端部に設けられたラッチ支え２２７に取り付けられることで、固定子ユニット１３５に固定支持される。
【００３１】
引き外しアクチュエータ２２４はソレノイドによりプランジャ２２４ａを進退させるものとし、アクチュエータ１３０とともに密封端子１６３を通じて電源ユニット１６１および制御ユニット１６２と電気的に接続されている。電源ユニット１６１および制御ユニット１６２の指令によってプランジャ２２４ａの進退動作を行う。
【００３２】
上記のように構成した本実施例に係るガス遮断器は、図１の閉極状態から図３の開極状態に移行して電流を遮断する。その際、遮断部で発生したアークに消弧性能を有するＳＦ６ガスを吹き付けることでアークプラズマを消滅させ、電流を遮断する。
【００３３】
図８に遮断動作時の可動側電極４の変位、遮断電流を時系列に示す。遮断電流の波形は、図１ないし図３に示した電流検出用の変流器５１により検出可能である。図中の符号Ｓは遮断部の動作を示しており、投入位置“Ｃ”から遮断位置“Ｏ”に移動する。
【００３４】
遮断部の可動側電極４は予め設定された摺動距離Ｗ１まで移動した時刻ｔ１で電極の開極位置になる。
【００３５】
アクチュエータが駆動方向に動作すると、遮断部の可動側電極４は予め設定された摺動距離Ｗ１まで移動した時刻ｔ１で電極の開極位置となり、開極後の時刻ｔ２で電流ゼロ点を迎えることで電流が遮断される（Ｓ１Ｃ）。予め設定された投入位置（Ｓ１Ｏ）に近付くと減速し投入位置“Ｏ”で停止する。
【００３６】
上記に示した動作を停電などの無給電状態でも実施できるよう構成しなければならない。アクチュエータの永久磁石とコイルとの間に生じる磁気力によって可動子は直線移動し得るため、投入位置および遮断位置で可動子を保持しなければならない。また、動作の命令があれば、無給電状態でも可動子の保持状態を解除し動作を開始できるよう機構を構成しなければならない。
【００３７】
本実施例は、操作部ケース１１０の内部の両端に設けられた当接部材と、固定子ユニット１３５の両端に設けられたラッチ部材を用いて、無給電状態でも可動子１４１を遮断位置および投入位置で保持および解除が可能な機構を提供できる。
【００３８】
まず、投入位置から遮断動作を経て遮断位置に至る動作について、図２および図９から図１２を用いて述べる。図２、図９および図１０は投入状態から投入位置ラッチ部材が係合解除するまでの動作を、図１１と図１２は遮断位置に到達し遮断位置ラッチ部材が係合阻止するまでの動作を示している。
【００３９】
図２に示した投入状態においては、遮断部ケース側の投入位置ラッチ部材２２０によって停止している。このとき投入位置ラッチ部材２２０は、トリガレバー２２５が係合板２２３の保持位置係合溝２２３ａに係合保持されることで、係合板２２３と固定した可動子保持レバー２２１の回動が阻止される。
【００４０】
なお、可動子保持レバー２２１に設けた復帰ばね２２２と、トリガレバー２２５に設けた復帰ばね２２６は常に弾性付勢されており、いずれも図２中時計周りに回動する方向へ弾性力を生ずるよう構成している。
【００４１】
異常電流を検知し遮断動作を行うためには、制御ユニット１６２および電源ユニット１６１によって引き外しアクチュエータ２２４を動作させてプランジャ２２４ａを押し出す。プランジャ２２４ａがトリガレバー２２５を押し出すことでトリガレバー２２５が図２中反時計周りに回動し、トリガレバー２２５と係合板２２３の間の係合が解除され、可動子保持レバー２２１は回動自由となる。
【００４２】
遮断指令により可動子１４１が遮断方向に動作することで、可動子保持レバー２２１は可動子１４１のローラ１４４と接触しながら図中反時計回りに回動する。また、可動子１４１の動作開始にあわせて、トリガレバー２２５を回動させていた引き外しアクチュエータ２２４のプランジャ２２４ａの押し出しを解除する。すると、トリガレバー２２５は復帰ばね２２６の弾性力によって回動し、係合板２２３と接触する。さらに可動子１４１が移動し、係合板２２３も回動することで、係合板２２３の解除位置係合溝２２３ｂとトリガレバー２２５の先端の位置が合致し、トリガレバー２２５と係合板２２３とが解除位置で係合保持されることで、投入位置ラッチ部材２２０と可動子１４１とが非接触状態となる（図９）。
【００４３】
最終的に可動子１４１が遮断位置に到達すると、遮断位置当接部材３１０に当接する（図１０）。可動子１４１が遮断動作中にあるとき、遮断位置ラッチ部材３２０は、可動子１４１に接触しないよう解除位置で保持される。
【００４４】
可動子１４１が遮断位置で停止したことを位置センサ１５１で確認すると、制御ユニット１６２および電源ユニット１６１の指令により引き外しアクチュエータ３２４を押し出す命令を行う（図１１）。トリガレバー３２５が回動して係合が解除され、可動子保持レバー３２１が復帰ばね３２２の弾性力によって図中反時計周りに回転し、可動子１４１に当接する。可動子１４１は可動子保持レバー３２１から遮断方向への弾性力を受け、反対方向から遮断位置当接部材３１０と当接することで、遮断位置で保持される（図１２）。
【００４５】
以上では投入位置から遮断動作を経て遮断位置に至る動作について述べたが、遮断位置から投入動作を経て投入位置に至るまでの位置保持機構の動作も同様である。
【００４６】
上記に示した一連の動きを通し、可動子１４１の位置の保持に当接部材とラッチ部材とを用いることで、可動子１４１の位置保持が可能となる。加えて、電源ユニット１６１の蓄電デバイスに充電しておくことで、無給電状態でも遮断および投入動作を実施できる。
【００４７】
また、本実施例に記載の構成は、特許文献２に記載の磁気吸引力式に比べ、脆性材料である永久磁石を用いる必要が無く、金属などの延性材料を用いることができることから、信頼性の高い位置保持機構を提供できる。
【００４８】
以下に、図１４を参照して投入位置ラッチ部材４２０の別の例を示す。
【００４９】
トリガレバー２２５の第２の腕に係合解除ボタン４３０を連結する。係合解除ボタン４３０の端部を操作部ケース１１０の外部に延伸するよう構成することで、操作部ケース１１０から係合解除ボタンの押し込みおよび引き込み動作を行うことができる。
【００５０】
係合解除ボタン４３０を押し込むと、引き外しアクチュエータ２２４のプランジャ２２４ａを押し込んだ場合と同様に、トリガレバー２２５が図中反時計回りに回動する。係合板２２３との係合が解除されることで、可動子１４１が軸方向移動自由となる。
【００５１】
以上のように本実施例に示した構成によって、組み立て時やメンテナンス時のような可動子１４１の動作を確認するときなど、可動子１４１を固定する必要のないときに、電源装置を用いることなく簡便に係合を解除することができる。
【００５２】
なお、上記構成は投入位置ラッチ部材４２０だけでなく、遮断位置ラッチ部材にも適用できる。
【００５３】
また、図１５のように操作部ケース１１０に蓋付開口部５３０を設け、蓋を開け開口部から手動でトリガレバー２２５を回動操作するよう構成しても、同様に電源装置を用いることなく簡便に係合を解除することができる。
【００５４】
本発明は前記した実施形態に限定されるものではない。例えば、前記した実施形態は本発明を分かり易く説明するために詳細に説明したものであり、必ずしも説明した全ての構成を備えるものに限定されない。
【００５５】
また、実施形態のある構成の一部を他の実施形態に置き換えることも可能であり、また、ある実施形態の構成に他の実施形態の構成を加えることも可能である。
【００５６】
例えば、上記実施例では可動子が一段に形成されている場合について説明したが、可動子はＹ方向に二段以上重ねた構成であってもよい。
【００５７】
上記実施例では固定側電極が固定されている場合について説明したが、可動側電極に対向する電極が相対的に可動する、いわゆる双駆動型のガス遮断器でもよい。
【００５８】
本実施例では遮断部と操作部のガス区画を別にしており、操作部の駆動は直線シール部８２を介して行っているが、遮断部と操作部を同一ガス区画として、同じ高気圧ＳＦ６ガスで充填した状態でもよい。図１に示す様に、遮断部と操作部のガス区画が別区画の場合は、遮断部は高気圧ＳＦ６ガスで充填されているが、操作部の操作部ケース１１０は外部（大気）と密閉される場合と密閉されない場合が存在する。
【００５９】
操作部ケース１１０が密閉される場合、操作部ケース１１０のフランジ合わせ面間にＯリングなどのシール部材を挟みボルト締めすることで、内部のガスを密閉することができる。このとき、図１では遮断部と操作部の間に設けられている直線シール部８２は不要となる。
【００６０】
上記の構成をとることで、操作部ケース１１０内部は大気圧の乾燥空気や窒素、ＳＦ６ガスが充填される。操作部が密閉されていると、外部環境の影響を受けにくく、湿度や雨水や昆虫などの混入など性能を低下させる要因を排除できるため、信頼性の高い操作部が提供できる。しかし、密閉された場合には内部を点検するたびに密閉された操作部ケース１１０を大気開放しなければならず点検作業が煩雑となる。このような内部点検の容易さを優先させるならば操作部ケース１１０を密閉される必要はない。
【００６１】
上記実施例では、可動子１４１の位置センサ１５１を、リニアスケール１５２と光学式ピックアップ１５３で構成される例を示したが、他にレーザーを用いた変位計や画像センサを使った測長計など、変位を測定できるものであれば特に限定されない。
【符号の説明】
【００６２】
１・・・遮断部ケース、２・・・絶縁支持スペーサー、３・・・固定側電極、４・・・可動側電極、６・・・可動電極、７・・・絶縁支持筒、８・・・高電圧導体、９・・・架台、５１・・・変流器、８１・・・絶縁ロッド、８２・・・直線シール部、１００・・・操作部、１１０・・・操作部ケース、１１１・・・固定子ユニット支持部材、１１２・・・フランジ、１１３・・・ボルト、１１４・・・カバー、１１５・・・ボルト、１３０・・・アクチュエータ、１３１・・・固定子、１３２・・・第一の磁極部、１３３・・・第二の磁極部、１３４・・・磁性体、１３５・・・固定子ユニット、１３６・・・巻線、１３７・・・スペーサー、１３８・・・ガイドローラユニット、１４１・・・可動子、１４２・・・永久磁石、１４３・・・磁石固定部材、１４４・・・ローラ、１５１・・・位置センサ、１５２・・・リニアスケール、１５３・・・光学式ピックアップ、１６１・・・電源ユニット、１６２・・・制御ユニット、１６３・・・密封端子、２２０・・・投入位置ラッチ部材、２２１・・・可動子保持レバー、２２２・・・復帰ばね、２２３・・・係合板、２２３ａ・・・保持位置係合溝、２２３ｂ・・・解除位置係合溝、２２４・・・引き外しアクチュエータ、２２４ａ・・・プランジャ、２２５・・・トリガレバー、２２６・・・復帰ばね、２２７・・・ラッチ支え、３１０・・・遮断位置当接部材、３１１・・・プレート、３１２・・・緩衝材、３２０・・・遮断位置ラッチ部材、３２１・・・可動子保持レバー、３２２・・・復帰ばね、３２３・・・係合板、３２３ａ・・・保持位置係合溝、３２３ｂ・・・解除位置係合溝、３２４・・・引き外しアクチュエータ、３２４ａ・・・プランジャ、３２５・・・トリガレバー、３２６・・・復帰ばね、３２７・・・ラッチ支え、４３０・・・係合解除ボタン、５３０・・・蓋付開口部
【図１】
2016167395.tif 000003
【図２】
2016167395.tif 000004
【図３】
2016167395.tif 000005
【図４】
2016167395.tif 000006
【図５】
2016167395.tif 000007
【図６】
2016167395.tif 000008
【図７】
2016167395.tif 000009
【図８】
2016167395.tif 000010
【図９】
2016167395.tif 000011
【図１０】
2016167395.tif 000012
【図１１】
2016167395.tif 000013
【図１２】
2016167395.tif 000014
【図１３】
2016167395.tif 000015
【図１４】
2016167395.tif 000016
【図１５】
2016167395.tif 000017